(57)【特許請求の範囲】
【請求項１】
交互に逆方向に折り返した伸展自在のネットを横引きにより開閉自在とした網戸において、
上記ネットの開閉に応じて、該ネットの両端に取り付けた網戸枠の縦枠部材及びネットの開閉操作に供する可動框のいずれかの下端からその内部に出入りし、張設状態にある該ネットの下端に沿って導出されてその下端をガイドし、該ネットの揺れを抑止するネットガイドを備え、
上記ネットガイドは、ネットの下端に沿う底部と該ネットの外面に沿って立ち上がる揺れ止め部とにより略Ｕ字状に形成した合成樹脂製の多数のガイド駒と、それらガイド駒を連接するための可撓性のテープ状部材とから構成され、該ガイド駒が、その底部に沿って設けられた上記テープ状部材の挿通部に上記テープ状部材を挿通し、両端のガイド駒を該テープ状部材に固定することにより連接されてなる、
ことを特徴とする横引き網戸。
【請求項２】
各ガイド駒におけるテープ状部材の挿通部より下方には当接部が形成されており、該当接部を、張設状態にあるネットの下端に沿って上記ネットガイドが直線的に導出された状態において、隣接するガイド駒の当接部と互いに当接するものとした、
ことを特徴とする請求項１に記載の横引き網戸。
【請求項３】
上記当接部が、ガイド駒の連接方向に向けて形成された平面部からなる、
ことを特徴とする請求項２に記載の横引き網戸。
【請求項４】
ネットガイドを構成する各ガイド駒の揺れ止め部を、張設状態にあるネットの下端に沿って当該ネットガイドが直線的に導出された状態において、隣接するガイド駒の揺れ止め部と隙間なく連接されるものとし、
各ガイド駒における揺れ止め部に、ネットガイドの湾曲時において、隣接するガイド駒の揺れ止め部が収容されて当該ネットガイドの湾曲を許容する逃げ部を形成した、
ことを特徴とする請求項１乃至３の何れかに記載の横引き網戸。
【請求項５】
ネットガイドを構成する各ガイド駒の揺れ止め部を、張設状態にあるネットの下端に沿って当該ネットガイドが直線的に導出された状態において、隣接するガイド駒の揺れ止め部と隙間なく連接されるものとし、
上記テープ状部材の長さにネットガイドを湾曲させるのに必要な余裕を持たせて上記ガイド駒を連接した、
ことを特徴とする請求項１乃至３の何れかに記載の横引き網戸。
【請求項６】
上記ガイド駒が、上記当接部より上方の位置から突設され先端が上方又は下方に屈曲された鉤形の連結片と、該連結片を係脱自在かつ回動自在に係合させるための連結部とを備え、上記挿通部にテープ状部材を挿通すると共に隣接するガイド駒の上記連結片と連結部とを互いに係合させることにより連接されており、
各ガイド駒における揺れ止め部には、ネットガイドの湾曲時において、隣接するガイド駒の揺れ止め部が収容されて当該ネットガイドの湾曲を許容する逃げ部が形成されている、
ことを特徴とする請求項２又は請求項３に記載の横引き網戸。
【請求項７】
上記連結片は、上記ガイド駒における底部の端面から突設されており、上記連結部は、上記ガイド駒の底部に開口された上記連結片の先端を挿入するための連結穴を有している、
ことを特徴とする請求項６に記載の横引き網戸。
【請求項８】
略Ｕ字状のガイド駒における底部の裏面に、建物開口部の床面に配設されるガイド部に摺動自在に係合させるための一対のガイド用突条を設けた、
ことを特徴とする請求項１乃至７の何れかに記載の横引き網戸。
【請求項９】
上記一対のガイド用突条が、相対向する鉤形に形成され、上記ガイド部の両側に形成された凹溝に摺動自在に係合されている、
ことを特徴とする請求項８に記載の横引き網戸。
【請求項１０】
ネットの下端に、該ネットがネットガイドから脱離するのを抑止するためのネット抜け止め駒を付設し、上記ネットガイドにおけるガイド駒に、上記ネット抜け止め駒における係止部と相互に係止する係止突起を設けた、
ことを特徴とする請求項１乃至９の何れかに記載の横引き網戸。
【発明の詳細な説明】
【０００１】
【発明の属する技術分野】
本発明は、交互に逆方向に折り返した伸展自在のネットを横引きにより開閉自在とした網戸に関するものであり、さらに具体的には、該ネットの開閉に応じて該ネットの下端に沿って導出されるネットガイドを備えた横引き網戸に関するものである。
【０００２】
【従来の技術】
交互に逆方向に折り返した伸展自在のネットを横引きにより開閉自在とした網戸において、上記ネットの開閉に応じて、該ネットの両端に取り付けた網戸枠の縦枠部材及びネットの開閉操作に供する可動框のいずれかの下端からその内部に出入りし、張設状態にある該ネットの下端に沿って導出されてその下端をガイドすることにより、該ネットの揺れを抑止するネットガイドを備えたものは、例えば、特許第３００７６２８号公報等に開示されているように、従来より公知のものである。
【０００３】
上記従来の横引き網戸は、熱可塑性合成樹脂の押出材からなる上記ネットガイドをネットの開閉に伴って縦枠部材または可動框の下端から湾曲させてその内部に出入りさせる際の当該湾曲に必要な力の反力を、可動框の操作力に対抗する緩衝のための作用力として、可動框の開閉の操作性を損なうことなく、適切な抵抗による緩衝性を付与できる点で有効なものであるが、上記ネットガイドを構成する樹脂として繰返し曲げに対する十分な強度を有すると共に、湾曲に対する適度の抵抗を有するものを用いる必要があり、材料的に制限を受けるという問題があった。
また、特に当該横引き網戸を防虫網戸に適用した場合には、上記ネットガイドが、ネットの外面に沿って立ち上がる揺れ止め部に、上記底部の撓みを可能にするための多数の凹欠部を切設しているため、その部分が隙間となってしまい、その隙間を大きくすると防虫効果の低下に繋がる可能性も否定できない。
【０００４】
一方、特開２０００−１４５３１４号においては、上記ネットガイドを突起と穴の嵌め合いにより順次連結した連結状体として構成したものが開示されているが、この場合には、各剛性ユニットの連結に手数を要するばかりでなく、上述した熱可塑性合成樹脂の押出材を用いたもののように、可動框の操作力に対抗する緩衝のための作用力を発生させることもできない。
【０００５】
【発明が解決しようとする課題】
如上に鑑みて、本発明の技術的課題は、開閉するネットと共に移動するネットガイドを設けた横引き網戸において、該ネットガイドを適宜樹脂で成形可能なガイド駒の連接によって形成しながらも、そのネットガイドの湾曲に必要な力の反力を、可動框の操作力に対抗する緩衝のための作用力として利用可能とし、可動框の開閉の操作性を損なうことなく、適切な抵抗による緩衝性を付与して、当該網戸の開閉操作をスムーズに行うことを可能にした横引き網戸を提供することにある。
【０００６】
また、本発明の他の技術的課題は、隣接するガイド駒間に隙間を作らなくともネットガイドの湾曲を許容する構造として、従来の横引き網戸において押出材からなるネットガイドの底部の湾曲を可能にするために必要とされた凹欠部をなくすことにより、より防虫効果を向上させた横引き網戸を提供することにある。
さらに、本発明の技術的課題は、上記ネットガイド及びそれを備えた横引き網戸を可及的に安価に且つ容易に製造可能にすることにある。
【０００７】
【課題を解決するための手段】
上記課題を解決するため、本発明の横引き網戸は、交互に逆方向に折り返した伸展自在のネットを横引きにより開閉自在とした網戸において、上記ネットの開閉に応じて、該ネットの両端に取り付けた網戸枠の縦枠部材及びネットの開閉操作に供する可動框のいずれかの下端からその内部に出入りし、張設状態にある該ネットの下端に沿って導出されてその下端をガイドし、該ネットの揺れを抑止するネットガイドを備え、上記ネットガイドは、ネットの下端に沿う底部と該ネットの外面に沿って立ち上がる揺れ止め部とにより略Ｕ字状に形成した合成樹脂製の多数のガイド駒と、それらガイド駒を連接するための可撓性のテープ状部材とから構成され、該ガイド駒が、その底部に沿って設けられた上記テープ状部材の挿通部に上記テープ状部材を挿通し、両端のガイド駒を該テープ状部材に固定することにより連接されてなることを特徴とするものである。
【０００８】
上記横引き網戸においては、各ガイド駒におけるテープ状部材の挿通部より下方に当接部を形成し、該当接部を、張設状態にあるネットの下端に沿って上記ネットガイドが直線的に導出された状態において、隣接するガイド駒の当接部と互いに当接させるのが適切である。その時、該当接部を、ガイド駒の連接方向に向けて形成された平面部によって構成することもできる。
【０００９】
また、ネットガイドを構成する各ガイド駒の揺れ止め部を、張設状態にあるネットの下端に沿って当該ネットガイドが直線的に導出された状態において、隣接するガイド駒の揺れ止め部と隙間なく連接されるものとし、各ガイド駒における揺れ止め部に、ネットガイドの湾曲時において、隣接するガイド駒の揺れ止め部が収容されて当該ネットガイドの湾曲を許容する逃げ部を形成したり、上記テープ状部材の長さにネットガイドを湾曲させるのに必要な余裕を持たせて上記ガイド駒を連接するのが有効である。
【００１０】
さらに、上記ガイド駒に、上記当接部より上方の位置から突設され先端が上方又は下方に屈曲された鉤形の連結片と、該連結片を係脱自在かつ回動自在に係合させるための連結部とを設け、このようなガイド駒を、上記挿通部にテープ状部材を挿通すると共に隣接するガイド駒の上記連結片と連結部とを互いに係合させて連接することにより上記ネットガイドを形成し、各ガイド駒における揺れ止め部に、該ネットガイドの湾曲時において、隣接するガイド駒の揺れ止め部が収容されて当該ネットガイドの湾曲を許容する逃げ部を形成するとより好適である。その時、上記連結片を上記ガイド駒における底部の端面から突設すると共に、上記連結部に上記ガイド駒の底部に開口された上記連結片の先端を挿入するための連結穴を設けることもできる。
【００１１】
そして、上記略Ｕ字状のガイド駒における底部の裏面には、建物開口部の床面に配設されるガイド部に摺動自在に係合させるための一対のガイド用突条を設けることができ、その時、上記一対のガイド用突条を、相対向する鉤形に形成し、上記ガイド部の両側に形成された凹溝に摺動自在に係合させることも可能である。また、上記ネットガイドに、ネットが該ネットガイドから脱離するのを抑止するためのネット抜け止め駒を付設し、上記ネットガイドにおけるガイド駒に、上記ネット抜け止め駒における係止部と相互に係止する係止突起を設けることもできる。
【００１２】
上記構成を有する横引き網戸においては、上記ネットガイドが、ネットの下端に沿う底部と該ネットの外面に沿って立ち上がる揺れ止め部とにより略Ｕ字状に形成した合成樹脂製の多数のガイド駒と、それらガイド駒を連接するための可撓性のテープ状部材とから構成され、該ガイド駒を、その底部に沿って設けられた上記テープ状部材の挿通部に上記テープ状部材を挿通し、両端のガイド駒を該テープ状部材に固定することにより連接させてなるものであるため、ガイド駒を連結するテープ状部材の湾曲による反力が可動框の操作力に対抗する緩衝のための作用力となり、可動框の開閉の操作性を損なうことなく、適切な抵抗による緩衝性を付与することができる。なお、この可撓性を有するテープ状部材としては熱可塑性合成樹脂の押出材等の任意の材料を用いることができる。
【００１３】
また、ガイド駒の揺れ止め部に、隣接するガイド駒の揺れ止め部が収容される逃げ部を設け、隣接するガイド駒間に隙間を作らなくともネットガイドの湾曲を許容する構造としているので、従来の横引き網戸においてネットガイドの底部の湾曲を可能にするために必要とされた凹欠部をなくすことができ、延いてはより防虫効果を向上させることができる。しかも、各ガイド駒を、張設状態にあるネットの下端に沿って上記ネットガイドが直線的に導出された状態において、テープ状部材の挿通部より下方に設けた当接部が互いに当接するように連接した場合には、それらガイド駒が連接されてなるネットガイドを縦枠部材または可動框への湾曲導出入のために上方に凹に湾曲させることができるが、逆方向への湾曲を阻止して床面からの浮き上がりによる開閉動作の乱れを抑制することができる。ここで、上記ガイド駒が、上記当接部より上方の位置から突設され先端が上方又は下方に屈曲された鉤形の連結片と、該連結片を係脱自在かつ回動自在に係合させるための連結部とを備えていると、上記ネットガイドの逆方向への湾曲及びそれに伴う床面からの浮き上がりをより確実に阻止することができる。
【００１４】
なお、ガイド駒の揺れ止め部に、湾曲時に隣接するガイド駒の揺れ止め部を収容するための逃げ部が形成されていない場合であっても、テープ状部材の長さにネットガイドの湾曲に必要な余裕を設けておくだけで、上記と同様に動作させることができる。
さらに、上記ネットガイドは、多数のガイド駒の挿通部にテープ状部材を挿通してそれらを連接させることにより構成されているため、従来の剛性ユニットを突起と穴で連結しているネットガイドのように順次剛性ユニットを連結する手数を必要とせず、上記ネットガイド及びそれを備えた横引き網戸を可及的に安価に且つ容易に製造することができる。
【００１５】
上記横引き網戸においては、上記ガイド駒における底部の裏面に、建物開口部の床面に配設されるガイド部に摺動自在に係合させるための一対のガイド用突条を設けることにより、上記ネットガイドをガイド部上において適正に摺動させることができるため、上記ネットの適正かつ安定的な開閉操作が可能となる。特に、上記一対のガイド用突条が、相対向する鉤形に形成され、上記ガイド部の両側に形成された凹溝に摺動自在に係合されていると、上記ネットガイドの逆方向への湾曲及びそれに伴う床面からの浮き上がりをより確実に防止することができる。
また、上記ネットに、それが該ネットガイドから脱離するのを抑止するためのネット抜け止め駒を付設し、上記ネットガイドにおけるガイド駒に、上記ネット抜け止め駒における係止部と相互に係止する係止突起を設けることにより、風などの比較的強い外力が作用しても、上記ネットがネットガイドから脱離するのを可及的に抑止することができる。
【００１６】
【発明の実施の形態】
図１乃至図３は、本発明に係る横引き防虫網戸の第１実施例を示している。
この網戸は、アコーディオン式に伸展するネットを横引きにより開閉するもので、図１に示すように、概略的には、網戸枠２と、該網戸枠２内に横開きにより開閉自在に取り付けられた防虫ネット４と、該ネット４の一端に取り付けられた開閉操作用の可動框５とを備えている。
【００１７】
上記網戸枠２は、左右の縦枠部材６，８と上部の横枠部材１０とを有し、該網戸枠２の下部には、上記ネット４の揺れを抑止するネットガイド１２が可動框５の移動に伴って出没するように設けられている。このネットガイド１２は、その一端が可動框５の下端に固定され、可動框の移動に伴う上記ネット４の開閉に応じて、図において左側の縦枠部材６の内部に出入りし、張設状態にある上記ネット４の下端に沿って導出されてその下端をガイドすることにより、ネット４の下端の風等による揺れを抑止するものである。
【００１８】
さらに具体的に説明すると、上記ネットガイド１２は、図１乃至図３に示すように、合成樹脂の射出成形で形成した多数のガイド駒１４を、熱可塑性合成樹脂の押出材からなる曲げ弾性を有する可撓性の比較的薄いテープ状部材１６で連接することにより構成されている。
なお、この曲げ弾性を有する可撓性のテープ状部材１６としては、熱可塑性合成樹脂の押出材に限られることなく、任意の材料を用いることができる。
上記ネットガイド１２を構成するガイド駒１４は、図４の（ａ）〜（ｃ）に明確に示すように、ネット４の下端に沿う底部１４ａと該ネット４の外面に沿って立ち上がる揺れ止め部１４ｂとにより略Ｕ字状に形成されたもので、このガイド駒１４の底部１４ａに沿って、上記揺れ止め部１４ｂの内側面の下端にテープ状部材１６を挿通するための溝状の挿通部１４ｃを設け、それぞれのガイド駒１４の挿通部１４ｃに上記テープ状部材１６を挿通することにより各ガイド駒１４を連接しており、当該ネットガイド１２の両端のガイド駒１４は、テープ状部材１６にピン１８により固定されている。また、該ガイド駒１４の連接方向両端におけるテープ状部材１６の挿通部１４ｃよりも下方には、ガイド駒の連接方向に向けて形成された当接部としての平面部１４ｆが設けられている。
【００１９】
ところで、これらのガイド駒１４は、張設状態にあるネット４の下端に沿って上記ネットガイド１２が直線的に導出された状態において、隣接するガイド駒１４の平面部１４ｆが互いに当接すると共に、隣接するガイド駒１４の揺れ止め部１４ｂが互いに隙間無く配置されるように連接されているが、上記テープ状部材１６の長さが、上記ネットガイド１２の円滑な動作に必要な分だけ、連接した多数のガイド駒１４の実長よりも僅かに長く形成され、さらに、各ガイド駒１４における両揺れ止め部１４ｂの内面側及び外面側には、ネットガイド１２を湾曲させるに際し、隣接するガイド駒１４の揺れ止め部１４ｂを互いに収容するための逃げ部１４ｇがそれぞれ設けられているため、上述のように隣接するガイド駒１４間に隙間を作らなくとも、上記ネットガイド１２を上方に凹に湾曲させることができる。
【００２０】
なお、上記テープ状部材１６のガイド駒１４における挿通部１４ｃへの挿通は、各ガイド駒１４の挿通部１４ｃに上記テープ状部材１６を順次挿通するか、あるいはガイド駒１４の揺れ止め部１４ｂ間に上方から圧入することにより容易に行うことができるものであるが、これに限定されず、上記ガイド駒１４の底部１４ａに沿って孔を設け、その孔にテープ状部材１６を挿通することにより、多数のガイド駒１４を連接するように構成することもできる。
【００２１】
さらに、上記ガイド駒１４における底部１４ａの裏面には、相対向する鉤形に形成したガイド用突条１４ｄ，１４ｄを設けている。該ガイド用突条１４ｄ，１４ｄは、図３に明確に示すように、建物開口部の床面上に歩行の障害にならない敷居の高さ程度のレール状のガイド部Ｇを設けて、両ガイド用突条１４ｄ，１４ｄをガイド部Ｇの両側の凹溝ｇに嵌め込むことにより、上記ネットガイド１２を上記ガイド部Ｇ上において適正に摺動させ、上記ネット４の該ガイド部Ｇに沿った適正かつ安定的な開閉を可能とするものである。
【００２２】
なお、本実施例においては、ネットガイドの浮き上がりを可及的に防止するために、上記ガイド駒１４におけるガイド用突条１４ｄ，１４ｄをガイド部Ｇの両側の凹溝ｇに嵌め込む構造としているが、必ずしもそのような構成とする必要はない。すなわち、前述したように、上記ネットガイド１２が、各ガイド駒１４を上記ガイド部Ｇ上においてその平面部１４ｆが相互に当接するように連接することによって構成されているので、該ネットガイド１２が上方に凸に湾曲されるのが阻止され、上記ガイド用突条１４ｄをガイド部Ｇの凹溝ｇに嵌め込む構成としなくても、ネットガイド１２がガイド部Ｇから浮き上がってネット４の開閉動作が乱れることはない。
【００２３】
上記ネットガイド１２は、前述したように、ネット４の開閉に伴って縦枠部材６の下端から湾曲させてその内部に出入りさせ、その導出によってネット４の下端をガイドさせるものであるが、そのネットガイド１２を構成するテープ状部材１６の当該湾曲に必要な力の反力を、可動框５の操作力に対抗する緩衝のための作用力として利用するようにしている。また、当該ネットガイド１２は、ガイド駒１４をその底部１４ａに設けた挿通部１４ｃに上記テープ状部材１６を挿通して連接することにより構成されているため、該テープ状部材１６には、その長手方向の湾曲によって上記挿通部１４ｃから抜脱しない程度の硬さが必要になる。かかる観点から、上記ネットガイド１２におけるテープ状部材１６は、その材質の選定あるいは厚さの調整等により、適度の曲げ弾性を有するものとする必要がある。
【００２４】
一方、上記ネット４は、交互に逆方向に折り返して多数のプリーツをジクザグ状に施すことにより、アコーディオン式に伸展自在としたもので、その両端に網戸枠２の縦枠部材６及びネット４の開閉操作に供する可動框５を取り付け、該可動框５の操作により開閉するようにしたものである。
【００２５】
また、上記ネット４の下端には、図３に示すように、それがネットガイド１２から脱離するのを抑止するためのネット抜け止め駒２６を付設することができ、該ネット抜け止め駒２６の係止部２６ａを、上記ガイド駒１４における揺れ止め部１４ｂの両内側面に設けられ係止突起１４ｅと相互に係止させることにより、風などの比較的強い外力が作用しても、上記ネット４がネットガイド１２から脱離するのを可及的に抑止することができる。
【００２６】
上記ネット４の一端に取り付けた可動框５を安定的に平行移動させるため、該可動框５には平行移動機構を付設している。この平行移動機構は、本実施例の網戸では、縦枠部材６，８と網戸枠２及び可動框５との間に４本の張紐２０ａ，２０ｂ，２０ｃ，２０ｄを張設することにより構成している。
上記第１の張紐２０ａは、その一端を可動框５の上部に取り付け、この張紐２０ａを、網戸枠２の上部の横枠部材１０内を通して、ネット４を取り付けていない一方の縦枠部材８の上部に設けた転向子２２ａに巻き掛けたうえで、該横枠部材１０内を折り返し、他方の縦枠部材６の上部に設けた転向子２２ｂに巻き掛けて該縦枠部材６内を下方に導き、その先端を上記ネットガイド１２の端部に取り付けた張紐固定用駒２４に連結している。
【００２７】
一方、第２の張紐２０ｂは、上記可動框５の上端にその一端を取り付け、それをネット４を貫通させて上記ネット４を固定した縦枠部材６内に導き、そして該張紐２０ｂを縦枠部材６内を通して下端に導いたうえで該縦枠部材６の下部に設けた転向子２２ｃに巻き掛けて該縦枠部材６内を上方に導き、その先端を上記ネットガイド１２の端部に取り付けた張紐固定用駒２４に連結している。
【００２８】
また、第３、第４の張紐２０ｃ，２０ｄは、それぞれ上記可動框５の中央及び下端にその一端を取り付け、それらの張紐２０ｃ，２０ｄをネット４を貫通させて上記ネット４を取り付けた縦枠部材６内に導いたうえで該縦枠部材６内を通して上部の横枠部材１０内に導き、さらにそれらの張紐２０ｃ，２０ｄを横枠部材１０内を通してネット４を取り付けていない縦枠部材８の上端に導き、そしてそれらを該縦枠部材８の上部に設けた転向子２２ａに巻き掛けて上記横枠部材１０内を逆方向に導き、その先端を上記可動框５の上部に連結している。
なお、第２、第３、第４の張紐２０ｂ，２０ｃ，２０ｄの転向子については、その図示を省略している。
【００２９】
上述した張紐２０ｂ，２０ｃ，２０ｄにおけるネット４の張設部分に水平方向に張設されている部分は、それらの張紐２０ｂ，２０ｃ，２０ｄをネット４内に挿通することによってネット４の弛みを防止し、ネット４の張設状態を安定化させている。また、上記各転向子２２ａ〜２２ｃとしては、張紐２０ａ，２０ｂとの抵抗が小さい合成樹脂製の摺動部材、あるいはプーリーなどを用いることができる。
【００３０】
上記構成を有する横引き網戸においては、上記ネットガイド１２を、ネット４の下端に沿う底部１４ａと該ネット４の外面に沿って立ち上がる揺れ止め部１４ｂとにより略Ｕ字状に形成した合成樹脂製のガイド駒１４の多数を曲げ弾性を有する可撓性のテープ状部材１６で連接することにより構成し、また、上記ガイド駒１４の底部１４ａに沿ってテープ状部材１６の挿通部１４ｃを設け、該挿通部１４ｃに上記テープ状部材１６を挿通すると共に、両端のガイド駒１４をピン１８でテープ状部材１６に固定することにより連接したものとしているため、上記ネットガイド１２のガイド駒１４の連接部分におけるテープ状部材１６の湾曲による反力が可動框５の操作力に対抗する緩衝のための作用力となり、可動框５の開閉の操作性を損なうことなく、適切な抵抗による緩衝性を付与することができる。
【００３１】
また、ガイド駒１４の揺れ止め部１４ｂに、隣接するガイド駒１４の揺れ止め部１４ｂが収容される逃げ部１４ｇを設けることにより、隣接するガイド駒１４間に隙間を作らなくともネットガイド１２の湾曲を許容する構造としているので、従来の横引き網戸においてネットガイドの底部の湾曲を可能にするために必要とされた凹欠部をなくすことができ、延いてはより防虫効果を向上させることができる。
さらに、上記ネットガイド１２は、多数のガイド駒１４をその挿通部１４ｃに上記テープ状部材１６を挿通して連接することにより構成されているため、従来の剛性ユニットを突起と穴で連結しているネットガイドのように順次剛性ユニットを連結する手数を必要とせず、上記ネットガイド１２及びそれを備えた横引き網戸を可及的に安価に且つ容易に製造することができる。
【００３２】
また、上記横引き網戸においては、上記ガイド駒１４における底部１４ａの裏面に、建物開口部の床面に配設されるガイド部Ｇの両側に延設された凹溝ｇに対して、摺動自在に係合させるためのガイド用突条１４ｄを設けているので、上記ネットガイド１２の適正な摺動、すなわち上記ネット４の適正な開閉を安定的に行うことができる。
【００３３】
さらに、上記ネット４に、それが上記ネットガイド１２から脱離するのを抑止するためのネット抜け止め駒２６を付設し、上記ネットガイド１２におけるガイド駒１４に、上記ネット抜け止め駒２６の係止部２６ａと相互に係止する係止突起１４ｅを設けているので、ネット４の面方向に風などの比較的強い外力が作用しても、上記ネット４がネットガイド１２から脱離するのを可及的に抑止することができる。
【００３４】
次に、図５及び図６は本発明の横引き網戸の第２実施例を示している。
この第２実施例の横引き網戸においては、主たる構成は前記第１実施例と同様であるが、図５に示すように、上記第１実施例と同じテープ状部材３６の長さに、縦枠部材６におけるネットガイド３２の導入出部で該ネットガイド３２を湾曲させるのに必要な余裕を持たせて、ガイド駒３４を連接している。なお、図６中３４ａはガイド駒３４の底部、３４ｃはテープ状部材３６の挿通部、３４ｄはガイド用突条、３４ｆは平面部である。
【００３５】
すなわち、上記ネットガイド３２が湾曲するに際しては、その湾曲部分に位置するガイド駒３４，３４は、それらの揺れ止め部３４ｂの上端隅部が相互に当接し下端が離間した状態となるため、上記ネットガイド３２の湾曲部分におけるガイド駒３４，３４間に形成される隙間の分だけ、連接した多数のガイド駒１４の実長よりも上記テープ状部材３６を長く形成している。ただし、これらのガイド駒３４は、張設状態にあるネット４の下端に沿って上記ネットガイド３２が直線的に導出された状態においては、隣接するガイド駒３４の平面部３４ｆが互いに当接すると共に、隣接するガイド駒３４の揺れ止め部３４ｂが互いに隙間無く配置されるように連接されている。
ここで、この第２実施例におけるその他の構成は、実質的に前記第１実施例と同様であるから、同一部分または相当部分に同一符号を付して、それらの説明を省略する。
【００３６】
次に、図７〜図１１は本発明の横引き網戸の第３実施例を示している。
この第３実施例の横引き網戸においては、主たる構成は前記第１実施例及び第２実施例と同様であるが、図７に示すように、ガイド駒５４を相互に係脱自在かつ回動自在に連結すると共に、該ガイド駒５４に対して第１、第２実施例と同じテープ状部材５６を挿通することにより、多数のガイド駒５４を連接してネットガイド５２を構成している。
なお、ネットガイド５２の両端に位置するガイド駒５４は、上記第１，第２実施例と同様に、上記テープ状部材５６に固定されているものとする。
【００３７】
具体的には、上記ネットガイド５２を構成するガイド駒５４は、図１０の（ａ）〜（ｅ）及び図１１に明確に示すように、ネット４の下端に沿う底部５４ａと該ネット４の外面に沿って立ち上がる一対の揺れ止め部５４ｂとにより略Ｕ字状に形成されており、該一対の揺れ止め部５４ｂの両内側面からは凸片５４ｅがそれぞれ突設され、上記底部５４ａの表面との間に、上記テープ状部材５６を挿通するための挿通部５４ｃを形成している。また、該一対の揺れ止め部５４ｂにおける上記ガイド駒５４の連接方向の一端側内側面及び他端側外側面にはそれぞれ、上記第１実施例と同様、ネットガイド５２を湾曲させた際に、隣接するガイド駒５４の一対の揺れ止め部５４ｂを互いに収容するための逃げ部５４ｇが凹設されている。
【００３８】
一方、上記底部５４ａにおける上記ガイド駒３４の連接方向の一端からは、鉤形（フック形）の連結片５４ｈが突設されており、ガイド駒５４の連接方向の他端には、隣接するガイド駒５４の上記連結片５４ｈと回動自在かつ係脱自在に係合させるための連結部５４ｋが設けられている。さらに具体的に説明すると、上記連結片５４ｈは、上記底部５４ａの一端面から突設され、その先端部５４ｊが上方に略直角に屈曲されており、上記連結部５４ｋは、上記底部５４ａの裏面側に開口する連結穴５４ｍを備えている。そして、上記連結片５４ｈの先端部５４ｊを、隣接するガイド駒５４における連結部５４ｋの連結穴５４ｍに挿入することにより、それらガイド駒５４同士を係脱自在かつ回動自在に連結している。
なお、図中５４ｄは、建物開口部の床面に配設されるガイド部Ｇに摺動自在に係合させるための、上記底部５４ａの裏面に設けられた一対のガイド用突条であり、５４ｆは、上記ガイド用突条５４ｄの端面に、ガイド駒５４の連接方向に向けて形成された当接部としての平面部であり、上記挿通部５４ｃや上記連結片５４ｈ及び連結部５４ｋよりも下方に配設されている。
【００３９】
上記ネットガイド５２はこのような構成を有しているので、上記第１実施例及び第２実施例と同様、図７に示すように、縦枠部材６における当該ネットガイド５２の導入出部では、上方に凹に湾曲し、張設状態にあるネット４の下端に沿って当該ネットガイド５２がガイド部Ｇ上に直線的に導出された状態においては、隣接するガイド駒５４の平面部５４ｆが互いに当接すると共に、隣接するガイド駒５４の揺れ止め部５４ｂが互いに隙間無く配置される。
【００４０】
そして、該ネットガイド５２に対して、上方に凸に湾曲させ上記ガイド部Ｇから浮き上がらせようとする力が作用した場合、図１１に示すように、上記隣接するガイド駒５４の対向する平面部５４ｆが互いに当接すると同時に、上記連結片５４ｈの先端部５４ｊが上記連結部５４ｋにおける連結穴５４ｍの内面に当接して係止され、上記ガイド駒５４の回動が阻止されるため、ネットガイド５２が上方に凸に湾曲するのを確実に阻止することができ、また、ネットガイド５２にそのような力が作用することによる上記テープ状部材５６の伸びをも防止することができる。しかも、各ガイド駒５４を、上記連結片５４ｈと連結部５４ｋとを上下方向から互いに係脱自在に係合させると同時に上記挿通部５４ｃにテープ状部材５６を挿通することにより、容易に連接させることができるため、上記ネットガイド５２及びそれを備えた横引き網戸を可及的に安価に且つ容易に製造することができる。
【００４１】
ここで、本第３実施例においては、上記連結片５４ｈの先端部５４ｊが下方に屈曲され、上記連結穴５４ｍが底部５４ａの表面側に開口されていても良い。そして、上記第１，第２実施例と同様に、上記一対のガイド用突条５４ｄが、相対向する一対の鉤状に形成され、上記ガイド部Ｇの両側に形成された凹溝に摺動自在に係合されるものであっても良く、ネット４の下端に上記ネット抜け止め駒２６を付設すると共に、ガイド駒５４に上記係止突起１４ｅを設けることもできる。さらに、図示は省略するが本第３実施例においても、上記第１，第２実施例と同様にして張紐２０ａ〜２０ｄが張設されているものとする。
また、本第３実施例におけるその他の構成も、実質的に上記第１，第２実施例と同様であるから、同一部分または相当部分に同一符号を付して、それらの説明を省略する。
【００４２】
なお、上記第１〜第３実施例においては、上記ネットガイド１２（３２，５２）の一端を縦枠部材６の下端に固定し、該ネットガイド１２（３２，５２）の他端が可動框５にその下端から出入するように構成することもでき、また、上記網戸枠２におけるネット４の上方にも、ネット４の下方と同様にして、ネットガイドを縦枠部材６（８）または可動框５に対して出没自在に設けることも可能である。また、上記当接部としては、上記平面部１４ｆ（３４ｆ，５４ｆ）のみならず、ネットガイド１２（３２，５２）が上方に凸に湾曲するのを規制するものであれば、どのような形状であっても良い。
【００４３】
【発明の効果】
以上に詳述した本発明の横引き網戸によれば、開閉するネットと共に移動するネットガイドを設けた横引き網戸において、該ネットガイドを適宜樹脂で成形可能なガイド駒の連接によって形成しながらも、そのネットガイドの湾曲に必要な力の反力を、可動框の操作力に対抗する緩衝のための作用力として利用することができ、しかも可動框の開閉の操作性を損なうことなく、適切な抵抗による緩衝性を付与して、当該網戸の開閉操作をスムーズに行うことができる。
【図面の簡単な説明】
【図１】本発明の第１実施例に係る横引き網戸の構造を模式的に説明する正面図である。
【図２】同平断面図である。
【図３】同側断面図である。
【図４】（ａ）は第１実施例の横引き網戸におけるガイド駒の平面図、（ｂ）は同正面図、（ｃ）は同左側面図である。
【図５】本発明の第２実施例に係る横引き網戸の構造を模式的に説明する正面図である。
【図６】（ａ）は第２実施例の横引き網戸におけるガイド駒の平面図、（ｂ）は同正面図、（ｃ）は同左側面図である。
【図７】本発明の第３実施例に係る横引き網戸の構造を示すための一部破断正面図である。
【図８】同平断面図である。
【図９】同側断面図である。
【図１０】（ａ）は第３実施例の横引き網戸におけるガイド駒の平面図、（ｂ）は同正面図、（ｃ）は同背面図、（ｄ）は同右側面図、（ｅ）は（ｂ）におけるＡ−Ａ断面図である。
【図１１】第３実施例のネットガイドに対して上方に凸に湾曲させようとする力を作用させた状態を示す側断面図である。
【符号の説明】
２    網戸枠
４    ネット
５    可動框
６，８    縦枠部材
１０    横枠部材
１２，３２，５２    ネットガイド
１４，３４，５４    ガイド駒
１４ａ，３４ａ，５４ａ  底部
１４ｂ，３４ｂ，５４ｂ  揺れ止め部
１４ｃ，３４ｃ，５４ｃ  挿通部
１４ｄ，３４ｄ，５４ｄ  ガイド用突条
１４ｅ，３４ｅ  係止突起
１４ｆ，３４ｆ，５４ｆ  平面部
１４ｇ，５４ｇ  逃げ部
５４ｈ  連結片
５４ｊ  連結片の先端部
５４ｋ  連結部
５４ｍ  連結穴
１６，３６，５６    テープ状部材
１８    ピン
２０ａ〜２０ｄ  張紐
２２ａ〜２２ｃ  転向子
２６    ネット抜け止め駒
２６ａ  係止部
Ｇ    ガイド部
ｇ    凹溝
【図１】
0003965334.tif 000002
【図２】
0003965334.tif 000003
【図３】
0003965334.tif 000004
【図４】
0003965334.tif 000005
【図５】
0003965334.tif 000006
【図６】
0003965334.tif 000007
【図７】
0003965334.tif 000008
【図８】
0003965334.tif 000009
【図９】
0003965334.tif 000010
【図１０】
0003965334.tif 000011
【図１１】
0003965334.tif 000012